(57)【特許請求の範囲】
【請求項１】
建物の外壁に施工された横軸外反転窓と、外壁の横軸外反転窓より少し上方の位置に取り付けられたロールブラインドが設けられ、
前記横軸外反転窓は、外壁に形成された開口部に取り付けられるサッシ枠と、前記サッシ枠に保持され水平方向に沿う回転軸の周りに回転することにより開閉し下端部が屋外側に開く窓用障子と、前記窓用障子の下端部に固定され前記ロールブラインドに係止される取付具が設けられ、
前記ロールブラインドは、前記横軸外反転窓の窓用障子を覆う大きさのスクリーンと、前記スクリーンを開閉自在に収容する収納ボックスと、前記スクリーンを前記収納ボックスに収容する方向に付勢する付勢手段と、前記窓用障子の前記取付具が着脱可能に係止される被係止部が設けられ、
前記取付具は、板体で作られ途中で所定角度に折り曲げられ、折り曲げられた位置から一方の端部までの部分は折曲部となり、折り曲げられた位置から他方の端部までの部分は取付部となり、前記取付部は前記窓用障子の下端面に重ねて取り付けられ、前記折曲部は前記窓用障子から離れる方へ折り曲げられて延出しており、
前記スクリーンの前記被係止部に前記窓用障子の前記取付具を係止して、前記窓用障子を回転させることにより、前記窓用障子の回転と前記スクリーンの開閉が同時に行われることを特徴とするロールブラインド開閉装置。
【請求項２】
前記スクリーンの下端部にはスクリーンバーが設けられ、前記スクリーンの前記被係止部は、前記スクリーンバーに形成されたスリットである請求項１記載のロールブラインド開閉装置。
【請求項３】
前記取付具の前記折曲部の先端部には、曲げられた内側の面に突出する突起が設けられ、前記取付具は、前記窓用障子の厚み方向に平行となるように取り付けられている請求項１記載のロールブラインド開閉装置。
【発明の詳細な説明】
【技術分野】
【０００１】
この発明は、建物の開口部に取り付け、室内に日光が入射することを防ぐロールブラインド開閉装置に関する。
【背景技術】
【０００２】
従来、建物の窓から室内に日光が入射することを効果的に防ぐため、窓の屋外側にロールブラインドを取り付けることがある。このようなロールブラインドを窓に固定する方法が従来から種々提案されている。
【０００３】
例えば、特許文献１に開示されているロールブラインドの振れ止め具は、建屋に開口する窓枠の上縁から下縁までの間を、巻き回された状態から導出されるスクリーンによって建屋の外方から覆うようにしたロールブラインドを備えたもので、そのロールブラインドの、スクリーンの下端を振れ止めするための振れ止め具が開示されている。振れ止め具は、窓枠の下縁の左右両側に取り付ける固着部と、建屋の外側へ延出する振れ止め本体と、振れ止め本体の先端部に設けられスクリーンの下端を把持する把持部が設けられている。これによれば、風が吹いてもスクリーンの下端を係止して揺れを防止することができる。
【０００４】
また、特許文献２に開示されている外付けスクリーン装置は、スクリーンを巻き取って内部に収容する収納ボックススを、すべり出し窓の窓用障子に固定するものである。これによれば、すべり出し窓の開閉動作を妨げることがなく、窓用障子をスクリーンで覆うことができる。
【先行技術文献】
【特許文献】
【０００５】
【特許文献１】実用新案登録第３１８３６７７号公報
【特許文献２】特開２０１４−３４７９４号公報
【発明の概要】
【発明が解決しようとする課題】
【０００６】
上記背景技術の特許文献１の場合、窓用障子が軸支されて外側に開くすべり出し窓に取り付けることは考えられていないものであり、すべり出し窓では窓用障子がスクリーンにあたって自由に開閉することができないものである。特許文献２の場合、すべり出し窓の窓用障子にスクリーンの収納ボックスが設けられ、窓用障子の回転に伴ってスクリーンも回転し、スクリーンを引き出す操作がし難いものである。
【０００７】
この発明は、上記背景技術の問題点に鑑みてなされたものであり、スクリーンの開閉とすべり出し窓の窓用障子の開閉を同時に簡単な操作で行うことができ、室内に日光が差しこむことを確実に遮ることができるロールブラインド開閉装置を提供することを目的とする。
【課題を解決するための手段】
【０００８】
本発明は、建物の外壁に施工された横軸外反転窓と、外壁の横軸外反転窓より少し上方の位置に取り付けられたロールブラインドが設けられたロールブラインド開閉装置である。前記横軸外反転窓は、外壁に形成された開口部に取り付けられるサッシ枠と、前記サッシ枠に保持され水平方向に沿う回転軸の周りに回転することにより開閉し下端部が屋外側に開く窓用障子と、前記窓用障子の下端部に固定され前記ロールブラインドに係止される取付具が設けられている。前記ロールブラインドは、前記横軸外反転窓の窓用障子を覆う大きさのスクリーンと、前記スクリーンを開閉自在に収容する収納ボックスと、前記スクリーンを前記収納ボックスに収容する方向に付勢する付勢手段と、前記窓用障子の前記取付具が着脱可能に係止される被係止部が設けられている。このロールブラインド開閉装置は、前記スクリーンの前記被係止部に前記窓用障子の取付具を係止して、前記窓用障子を回転することにより、前記窓用障子の回転と前記スクリーンの開閉が同時に行われるものである。
【０００９】
前記スクリーンの下端部にはスクリーンバーが設けられ、前記スクリーンの前記被係止部は、前記スクリーンバーに形成されたスリットである。
【００１０】
前記取付具は、一方向に長い板体で作られ、長手方向の途中で所定角度に折り曲げられ、折り曲げられた位置から一方の端部までの部分は折曲部となり、前記折曲部の先端部には曲げられた内側の面に突出する突起が設けられている。折り曲げられた位置から他方の端部までの部分は取付部となり、前記取付部は前記窓用障子の下端面に重ねて取り付けられるものである。前記取付具は、長手方向が前記窓用障子の厚み方向に平行となるように取り付けられ、前記折曲部は前記窓用障子から離れる方へ折り曲げられて延出している。なお、前記取付具は、例えば略９０°に折り曲げられている。
【発明の効果】
【００１１】
本発明のロールブラインド開閉装置は、簡単な構造で、スクリーンの開閉とすべり出し窓の窓用障子の開閉を同時に簡単な操作で行うことができる。スクリーンが窓用障子の屋外側に設けられているため、スクリーンにより室内に日光が差しこむことを確実に遮り、気温の上昇を抑えることができる。また日光を遮る状態で、窓用障子を開けて十分な換気を行うことができる。
【図面の簡単な説明】
【００１２】
【図１】この発明の一実施形態のロールブラインド開閉装置の窓用障子を最大に開いた使用状態を示す斜視図である。
【図２】この実施形態のロールブラインド開閉装置の窓用障子を閉めてスクリーンを閉めた使用状態を示す斜視図である。
【図３】この実施形態のロールブラインド開閉装置の窓用障子を閉めてスクリーンを開けた使用状態を示す斜視図である。
【図４】この実施形態のロールブラインド開閉装置の取付具を示す斜視図である。
【図５】この実施形態のロールブラインド開閉装置の拡大縦断面図である
【図６】この実施形態のロールブラインド開閉装置の縦断面図である
【図７】この実施形態のロールブラインド開閉装置の横断面図である
【発明を実施するための形態】
【００１３】
以下、この発明の実施形態について図面に基づいて説明する。図１〜図７はこの発明の一実施形態を示すもので、この実施形態のロールブラインド開閉装置１０は、建物の外壁１２に施工されたすべり出し窓である横軸外反転窓１４と、外壁１２の横軸外反転窓１４より少し上方の位置に取り付けられたロールブラインド１６が設けられている。
【００１４】
まず、横軸外反転窓１４について説明する。横軸外反転窓１４は、サッシ枠１８と窓用障子２０を有している。サッシ枠１８は、建物の外壁１２に形成された開口部の縁に取り付けられる矩形の枠体であり、金属製または木製で、窓用障子２０を保持するものである。窓用障子２０は、開閉動作することによって、建物の室外と室内とが連通した状態と、遮断された状態とを切り替えるものである。窓用障子２０は、中央に矩形のガラス板２２が設けられ、ガラス板２２の上下左右を囲むように框２４が取り付けられている。
【００１５】
横軸外反転窓１４は、窓用障子２０が水平方向に沿う回転軸の周りに回転することにより開閉するものであって、回転に伴って回転軸も移動するものである。横軸外反転窓１４は、開けるときに窓用障子２０の下端部２０ａが建物の外壁１２から離れ、屋外側に向けて突出するものである。横軸外反転窓１４は、このような動作を可能にするための図示しない可動機構を介してサッシ枠１８に保持されている。その他に、窓用障子２０には、開閉するときに保持する取手や、施錠のためのロック装置等が設けられている。
【００１６】
窓用障子２０の下端部２０ａには、ロールブラインド１６の後述するスクリーンバー４２を係止する取付具２６が設けられている。取付具２６は、図４に示すように一方向に長い金属板で作られ、長手方向の中心を避けて途中で約９０°に折り曲げられ、端部までの長さが短い部分は取曲部２７となり、取曲部２７の先端部には、曲げられた内側の面にわずかに肉厚となって突出するなめらかな突起２８が設けられている。端部までの長さが長い部分は取付部３０となり、取付部３０は、窓用障子２０の下端部２０ａの下端面２１に重ねて取り付けられるもので、ネジ用の透孔３２が２個形成されている。取付具２６は、図５に示すように長手方向が窓用障子２０の厚み方向に平行となるように取り付けられ、取付部３０の透孔３２に図示しないネジを入れて、下端面２１に固定される。この時取付部３０の、折曲部２７に近い部分は窓用障子２０の室外側に突出し、折曲部２７は窓用障子２０と平行に窓用障子２０から離れる方向に折り曲げられて延出した状態となる。
【００１７】
次に、ロールブラインド１６について説明する。ロールブラインド１６は、スクリーン３４と、収納ボックス３６が設けられている。スクリーン３４は、遮光性を有するシート等で作られ、ガラス板２２の全体を覆うことができる大きさの矩形に形成されている。スクリーン３４は、横軸外反転窓１４を覆う必要のないときには、図３に示すように、収納ボックス３６の中に設けられた巻き取り軸４０に巻き取られた状態で収納ボックス３６の中に収容される。
【００１８】
スクリーン３４の下端には、スクリーン３４の幅、つまり左右方向に沿った長さと略同一の長さに形成された棒状のスクリーンバー４２が水平に取り付けられている。スクリーンバー４２は一定の断面形状を有する長尺部材であり、スクリーンバー４２の断面形状は中空の円形であり、内側には直径方向に設けられた中板部４４が一体に設けられている。スクリーンバー４２の、中板部４４が連続する一対の位置に対して９０°円周方向に回転した位置には、長手方向に連続するスリット４６，４８が設けられている。スリット４６，４８は、スクリーンバー４２の長手方向に沿って形成され、互いに直径方向に離れて位置している。一方のスリット４８にはスクリーン３４の下端部が取り付けられている。他方のスリット４６は、窓用障子２０の取付具２６が差し込まれて係止される被係止部であり、取付具２６の突起２８が差し込み可能な幅に形成されている。スクリーンバー４２の長手方向の両端部には、スクリーンバー４２の直径よりも少し大きい直径を有する円形のキャップ５０が取り付けられている。
【００１９】
収納ボックス３６は、横軸外反転窓１４の上端部近傍に取り付けられ、内部に巻き取り軸４０を回転可能な状態で保持している。収納ボックス３６は、天板３６ａ、前板３６ｂ、右板３６ｃ、左板３６ｄにより形成された矩形の箱であり、底部が開口している。なお、このでは、天板３６ａと前板３６ｂが一体に形成され、右板３６ｃと左板３６ｄは、ボルトなどで天板３６ａに固定されている。
【００２０】
巻き取り軸４０は、水平かつ外壁１２と平行な状態で、収納ボックス３６の内部に保持されている。巻き取り軸４０は、軸受けを介して一端が右板３６ｃに保持されており、他端が左板３６ｄに保持されている。使用者がスクリーンバー４２を掴んで下方に引くと巻き取り軸４０が回転することによりスクリーン３４が下方に引きだされる。巻き取り軸４０にはばね等の付勢手段が設けられ、スクリーン３４を巻き取る方向に向けて常に付勢されている。このため、スクリーン３４が引き出されている状態において使用者がスクリーンバー４２から手を放すと、ばねによって巻き取り軸４０が回転し、スクリーン３４は巻き取られて収納ボックス３６内に収容される。収納ボックス３６の右板３６ｃと左板３６ｄには、半円形の切欠部３８が形成され、これはスクリーンバー４２の両端部に取り付けられたキャップ５０が半分嵌合される形状である。
【００２１】
次に、ロールブラインド開閉装置１０の動作について説明する。ロールブラインド開閉装置１０は、スクリーン３４で横軸外反転窓１４を覆う必要のないときには、図３に示すように、スクリーン３４を収納ボックス３６の中に設けられた巻き取り軸４０に巻き取られた状態で収納ボックス３６の中に収容させる。スクリーンバー４２の両端部に取り付けられたキャップ５０は、収納ボックス３６の切欠部３８に嵌合され、すっきりとした外観となる。なお、この状態で窓用障子２０を任意の角度に開いて喚気を行うことができる。
【００２２】
スクリーン３４で横軸外反転窓１４を覆うときは、窓用障子２０を開いて下端部２０ａを外側にすべり出し、さらに窓用障子２０が水平を通過して上下が逆になり下端部２０ａが上に位置する。そして、ロールブラインド１６のスクリーンバー４２を掴んで少し引き下ろしてスクリーン３４を収納ボックス３６から出し、窓用障子２０の下端部２０ａの下端面２１に取り付けられた取付具２６の折曲部２７を、スクリーンバー４２のスリット４６に差し込む。スリット４６は、スクリーン３４が連結されたスリット４８と反対側に位置し、取付具２６はスクリーン３４の引き戻される方向に対して折曲部２７が交差して位置するため、取付具２６がスリット４６から抜けることがない。また折曲部２７の先端には突起２８が形成されているため、突起２８がスリット４６に当接してさらに抜けにくくなる。
【００２３】
窓用障子２０にスクリーン３４を連結した状態で、窓用障子２０を所望の角度にする。窓用障子２０は任意の角度に止まる構造である。図１は窓用障子２０が一番大きく開いた状態を示すものであり、窓用障子２０が水平となっている。スクリーン３４は窓用障子２０の下端部２０ａが移動することに追従して、所定の長さが引き出されて係止され、横軸外反転窓１４の上方の外壁１２から、窓用障子２０の下端部２０ａを連結して、横軸外反転窓１４のサッシ枠１８から室内に差し込む日光を遮蔽することができる。そして、窓用障子２０はサッシ枠１８から大きく開口されているため、十分に換気を行うことができる。
【００２４】
図２は、窓用障子２０をサッシ枠１８に閉め、さらにスクリーン３４も閉めて窓用障子２０を覆った状態を示すものである。窓用障子２０は、サッシ枠１８に閉じられて外壁１２に対して平行となる。スクリーン３４も窓用障子２０に対して平行となり、確実に日光を遮蔽することができる。
【００２５】
横軸外反転窓１４の窓用障子２０は、これ以外の任意の角度に開いても係止するものであり、気候に合わせて角度を変更する。スクリーン３４は、窓用障子２０の下端部２０ａの動きに追従して引き出され、横軸外反転窓１４の上方の外壁１２から引き出され、日光の入射角度に交差するように位置するものである。
【００２６】
この実施形態のロールブラインド開閉装置１０によれば、簡単な構造で、スクリーン３４の開閉と窓用障子２０の開閉を同時に簡単な操作で行うことができる。スクリーン３４は窓用障子２０の屋外側に設けられているため、スクリーン３４により室内に日光が差しこむことを屋外側で確実に遮り、室温の上昇を抑えることができる。また、スクリーン３４で日光を遮る状態で、窓用障子２０を開けて十分な換気を行うことができる。窓用障子２０を開けた時に、スクリーン３４と窓用障子２０の間に角度が生じ、風を室内に取り込む効果を期待することができる。室内から、手を伸ばしてスクリーン３４を窓用障子２０に着脱する操作を行うことができ、便利である。横軸外反転窓１４が２階に設けられても着脱操作を行うことができる。窓用障子２０の角度を変える際にスクリーン３４が追従して引き出され、確実に遮蔽効果を得ることができる。風が吹いてもスクリーン３４が揺れることがなく、風による振動で外壁１２にぶつかって破損したり騒音が発生したりすることがない。スクリーン３４を収納ボックス３６に収容した状態では、窓用障子２０のガラス板２２を拭く等のメンテナンスを支障なく行うことができる。スクリーン３４を引き出した状態で保持する別体の部品が不要であり、部品点数が少なく施工工程が少なく、コストを抑えることができる。部品点数が少ないことから、故障が少なくメンテナンスが容易である。横軸外反転窓１４の屋外側にロールブラインド１６を設けるため、室温の上昇を抑える省エネルギーとなる。省エネルギーを目的とするコスト住宅に使用し、省エネルギーの効果を上げることができる。
【００２７】
なお、この発明のロールブラインド開閉装置は、上記実施の形態に限定されるものではなく、各部材の構造は自由に変更可能である。横軸外反転窓の構造や、形状、大きさなど、適宜変更可能であり、スクリーンの大きさも横軸外反転窓に合わせて変更するものである。スクリーンと窓用障子を係止する構造は上記実施形態以外でもよく、取付具の形状も上記実施形態以外でもよく、確実にスクリーンに取り付けられ簡単な操作で着脱するものであれば良い。また、スクリーンはスクリーンバーのスリット以外の部分が窓用障子に係止されてもよく、スクリーンバー以外の被係止部が設けられて窓用障子に係止されてもよい。横軸外反転窓の窓用障子には、任意の取手やロック装置を使用することができる。ロールブラインドの収納ボックスの構造は自由に変更可能であり、天板、前板、右板、左板が別体で、互いにネジ等で組み立ててもよい。
【符号の説明】
【００２８】
１０  ロールブラインド開閉装置
１２  外壁
１４  横軸外反転窓
１６  ロールブラインド
１８  サッシ枠
２０  窓用障子
２６  取付具
２７  折曲部
２８  突起
３０  取付部
３４  スクリーン
３６  収納ボックス
４２  スクリーンバー
４６  スリット
【図１】
0006449567.tif 000002
【図２】
0006449567.tif 000003
【図３】
0006449567.tif 000004
【図４】
0006449567.tif 000005
【図５】
0006449567.tif 000006
【図６】
0006449567.tif 000007
【図７】
0006449567.tif 000008